(57)【要約】【課題】本発明はコネクタの接続を容易に行えることを課題とする。【解決手段】基板４４の前面４４ａには、受信回路４３の一部と、シールドケース４８に嵌合掛止されたシルードカバー５０と、固定側コネクタ４６が取り付けられている。固定側コネクタ４６は、挿入口４６ａが基板４４の中心に向かって開口する向きに固定されている。また、挿入口４６ａの前には、四角形状の挿入位置ガイドマーク４７が設けられている。挿入位置ガイドマーク４７は、可動側コネクタ４２の寸法形状とほぼ同じ寸法形状となるように印刷される。従って、固定側コネクタ４６の挿入口４６ａに可動側コネクタ４２を挿入する場合には、可動側コネクタ４２を挿入位置ガイドマーク４７と重ねるように置くことにより、可動側コネクタ４２を挿入口４６ａに対向する位置に合わせることが可能になる。【選択図】        図５
2004192910.tif 000002
【特許請求の範囲】
【請求項１】
基板に取り付けられた第１のコネクタにケーブルを有する第２のコネクタを接続するコネクタ機構において、
前記基板上に前記第１のコネクタに対する前記第２のコネクタの挿入位置を示す位置合わせ部を設けたことを特徴とするコネクタ機構。
【請求項２】
前記位置合わせ部は、前記第２のコネクタの形状に応じた大きさに形成されたことを特徴とする請求項１記載のコネクタ機構。
【請求項３】
前記位置合わせ部は、印刷により前記基板の表面に形成されたことを特徴とする請求項１または２記載のコネクタ機構。
【請求項４】
前記第１のコネクタは、前記第２のコネクタが挿入される挿入口を前記基板の中心に向けて開口する向きで取り付けられたことを特徴とする請求項１記載のコネクタ機構。
【発明の詳細な説明】
【０００１】
【発明の属する技術分野】
本発明は基板に取り付けられた第１のコネクタに第２のコネクタを接続するコネクタ機構に関する。
【０００２】
【従来の技術】
例えば、テレビゲーム用のコントローラから送信された信号を受信する受信機を例に挙げて、以下説明する。
【０００３】
テレビゲーム用のゲーム機では、ゲーム用制御プログラムが記録されたディスク（円盤状記録媒体）が装着され、遊戯者が操作するコントローラからの制御信号が入力されると、制御信号に応じて生成されたゲーム画像をモニタ（テレビジョン装置）に表示させるように構成されている。
【０００４】
この種のゲーム機では、コントローラからの制御信号を無線で送信することが検討されている。この無線による送受信方法では、制御信号を無線で送信するための送信機をコントローラに設け、送信された制御信号を受信するための受信機をゲーム機本体に設けた構成が考えられている。
【０００５】
この種の受信機では、筐体背面にゲーム機本体の接続部に接続される棒状接続部を有しており、筐体内部には、受信回路が設けられた基板が収納されており、上記棒状接続部にケーブルを介して接続された小型オスコネクタを基板に設けられた小型メスコネクタに差し込んで接続することが考えられている（例えば、特許文献１参照）。
【０００６】
【特許文献１】
特開２００１−１６６５８号公報
【０００７】
【発明が解決しようとする課題】
この種の受信機では、筐体背面にゲーム機本体の接続部に接続される棒状接続部を有しており、筐体内部には、受信回路が設けられた基板が収納されており、上記棒状接続部にケーブルを介して接続された小型オスコネクタを基板に設けられた小型メスコネクタに差し込んで接続することが考えられている。
【０００８】
上記のような構成とされた受信機では、小型オスコネクタのケーブルをＵ字状に弛ませて組み付けることになるため、基板に取り付けられた小型メスコネクタの取付位置に合わせてケーブルを曲げることになる。
【０００９】
しかしながら、小型メスコネクタの挿入口を基板の外側に向けると、小型オスコネクタの挿入操作が容易に行える反面、ケーブルの曲げ部分が基板の外側にはみ出してしまうため、小型メスコネクタの取付位置が制限されるという問題がある。
【００１０】
そこで、本発明は上記課題を解決したコネクタ機構を提供することを目的とする。
【００１１】
【課題を解決するための手段】
本発明は上記課題を解決するため、以下のような特徴を有する。
上記請求項１記載の発明は、基板に取り付けられた第１のコネクタにケーブルを有する第２のコネクタを接続するコネクタ機構において、基板上に第１のコネクタに対する第２のコネクタの挿入位置を示す位置合わせ部を設けたものであり、ケーブルの曲げ部分がはみ出さないように第１のコネクタに対する第２のコネクタの挿入位置及び挿入方向を容易に確認することが可能になる。
【００１２】
また、請求項２記載の発明は、位置合わせ部が、第２のコネクタの形状に応じた大きさに形成したので、第２のコネクタの挿入位置及び挿入方向を容易に判別することが可能になる。
【００１３】
また、請求項３記載の発明は、位置合わせ部が、印刷により基板の表面に形成したため、他の部分と同時に印刷できるので、余計な手間がかからず、且つ剥がれる心配がない。
【００１４】
また、請求項４記載の発明は、第１のコネクタが、第２のコネクタが挿入される挿入口を基板の中心に向けて開口する向きで取り付けられたため、ケーブルを基板の中心付近で曲げることが可能になり、ケーブルの曲げ部分がはみ出すことが防止される。
【００１５】
【発明の実施の形態】
以下、図面と共に本発明の一実施例について説明する。
図１は本発明になるコネクタ機構の一実施例が適用されたテレビゲーム装置を示す斜視図である。
【００１６】
図１に示されるように、テレビゲーム装置１０は、ゲーム機本体１２と、ゲーム機本体１２に対して制御信号を無線で送信するコントローラ（入力装置）１４とから構成されている。ゲーム機本体１２は、上面に電源スイッチ１５と、テレビゲームの制御プログラムが記憶されたディスク（ＣＤ−ＲＯＭ）が装着されるディスク装着部１６とが設けられている。また、ゲーム機本体１２は、前面に受信機用コネクタ１８が横１列に４個設けられている。
【００１７】
この受信機用コネクタ１８には、コントローラ１４から送信された制御信号（電波）を受信する受信機２０が接続されている。受信機２０は、４個まで取り付けられるので、最大４人まで同時にコントローラ１４を操作してゲームに参加することができる。尚、受信機用コネクタ１８は、ケーブル接続用のものであり、ケーブル式のコントローラも接続することが可能になっている。
【００１８】
また、ゲーム機本体１２は、ケーブル２２を介してテレビジョン装置２４に接続されている。このテレビジョン装置２４は、通常のテレビ放送を見られるようにテレビチューナを内蔵しており、ビデオチャンネルに切り替えることでゲーム機本体１２から転送されたゲーム画像（動画）を画面上に表示する。
【００１９】
コントローラ１４は、箱型に形成された樹脂製の筐体２６の上面にＸ−Ｙ方向の操作キー２８と、３種類の操作釦３０が設けられている。また、コントローラ１４の筐体２６の内部には、送信機（図示せず）が収納されている。
【００２０】
ここで、受信機２０の構成について説明する。
図２は受信機２０の外観を示す図であり、（Ａ）は背面図、（Ｂ）は側面図、（Ｃ）は正面図である。
【００２１】
図２（Ａ）〜（Ｃ）に示されるように、受信機２０は、長方形状に形成された樹脂製ケース３２の背面側の蓋３２ａにゲーム機本体１２に設けられた受信機用コネクタ１８に挿入される接続部３１が突出形成されている。また、受信機２０は、樹脂製ケース３２の前面３２ｂにコード設定用の操作ダイヤル３４と、起動中であることを表示する発光ダイオード（ＬＥＤ）３６とが設けられている。
【００２２】
接続部３１は、受信機用コネクタ１８の挿入孔の形状に対応する長方形状の筒体に形成されており、内側に複数のコネクタピン３１ａが設けられている。
【００２３】
また、操作ダイヤル３４は、コントローラ１４から送信された制御信号（電波）を受信する周波数を設定するためのコード設定用の回転式円盤状つまみであり、ケース３２の上部開口から部分的に露出されるように設けられている。また、操作ダイヤル３４は、１６種類のコード番号の中から任意のコード番号を選択的に設定する。これと共に、コントローラ１４に設けられた送信機（図示せず）の周波数も受信機２０と同一のコード番号に設定する。
【００２４】
これで、複数のコントローラ１４が同時に操作されても、任意のコントローラ１４に対応するコード番号を設定された受信機２０のみが制御信号を受信することが可能になる。
【００２５】
図３は受信機２０の組立状態を示す縦断面図である。図４は受信機２０の構成部品を示す分解斜視図である。
図３及び図４に示されるように、受信機２０のケース３２内部には、接続部３１を弾力的に保持する保持機構３８と、コネクタピン３１ａに電気的に接続されたケーブル４０と、ケーブル４０の先端に設けられた可動側コネクタ４２と、受信回路４３が搭載された基板４４とが収納されている。
【００２６】
図５は基板４４の裏面を示す斜視図である。
図５に示されるように、基板４４の前面４４ａには、受信回路４３の一部と、シールドケース４８に嵌合掛止されたシルードカバー５０と、固定側コネクタ４６が取り付けられている。
【００２７】
固定側コネクタ４６は、挿入口４６ａが基板４４の中心に向かって開口する向きに固定されている。また、挿入口４６ａの前には、四角形状の挿入位置ガイドマーク（位置合わせ部）４７が設けられている。
【００２８】
この挿入位置ガイドマーク４７は、例えば、シルクスクリーン印刷機（図示せず）により基板４４の表面に他の表示マークや記号と共に白色や黄色などの明るい色のインクで印刷される。そのため、挿入位置ガイドマーク４７のみを印刷するのではなく、他の印刷箇所を印刷する際に同時に挿入位置ガイドマーク４７も印刷される。
【００２９】
また、挿入位置ガイドマーク４７は、輪郭形状が可動側コネクタ４２の寸法形状とほぼ同じ寸法形状となるように印刷される。
【００３０】
従って、固定側コネクタ４６の挿入口４６ａに可動側コネクタ４２を挿入する場合には、可動側コネクタ４２を挿入位置ガイドマーク４７と重ねるように置くことにより、可動側コネクタ４２を挿入口４６ａに対向する位置に合わせることが可能になる。そして、可動側コネクタ４２を挿入口４６ａに向けてスライドさせることにより簡単に可動側コネクタ４２を挿入口４６ａに挿入することが可能になる。
【００３１】
図６は基板４４の表面を示す斜視図である。
図６に示されるように、基板４４の背面４４ｂには、受信回路４３と、受信回路を覆うように固定されたシールドケース４８と、コード設定器５２と、受信アンテナ５４とが設けられている。
【００３２】
コード設定器５２は、回動可能に指示された軸（図示せず）を有し、この軸には前述した操作ダイヤル３４が取り付けられている。そして、コード設定器５２は、操作ダイヤル３４の回動角度に応じたコード（周波数）が受信可能に設定される。
【００３３】
可動側コネクタ４２は、ケーブル４０をＵ字状に撓ませた状態で固定側コネクタ４６に挿入されて電気的に接続される。尚、ケーブル４０をＵ字状に撓ませることにより、接続部３１を保持するケース３２の蓋３２ａを開くことが可能になる。
【００３４】
このように、ケーブル４０は、ケース３２からはみださないように基板４４の中心側に延在した状態で収納されるため、固定側コネクタ４６は挿入口４６ａが基板４４の中心に向けて開口する向きで取り付けられている。そのため、可動側コネクタ４２は、基板４４の中心側から固定側コネクタ４６の挿入口４６ａに挿入される。
【００３５】
また、保持機構３８は、接続部３１の外周に嵌合するゴム製の保持部材５６と、接続部３１の端部に嵌合する半球状の嵌合部材５８と、蓋３２ａの内側に取付ねじ５９により固定される固定部材６０とから構成されている。尚、保持機構３８は、接続部３１が保持部材５６により弾力的に保持されているので、横方向からの力が作用しても折れたりせず、壊れにくい構成になっている。
【００３６】
ここで、蓋３２ａをケース３２から外して可動側コネクタ４２を固定側コネクタ４６から分離させる場合の手順について説明する。
図７は蓋３２ａを外した状態を示す斜視図である。図８は蓋３２ａをケース３２の後方に裏返した状態を示す斜視図である。
【００３７】
図７に示されるように、蓋３２ａの内側には、接続部３１のコネクタピン３１ａに接続されたケーブル４０が引き出されており、ケーブル４０の先端に設けられた可動側コネクタ４２が基板４４に固定された固定側コネクタ４６の挿入口に挿入されている。このように、可動側コネクタ４２が固定側コネクタ４６に結合されている状態では、接続部３１のコネクタピン３１ａが受信回路４３に電気的に接続されている。
【００３８】
従って、蓋３２ａをケース３２から外して上方に持ち上げると、Ｕ字状に曲げられたケーブル４０がく字状に伸ばされる。
【００３９】
次に、図８に示されるように、蓋３２ａをケース３２の後方に裏返した状態に移動させる。これにより、ケーブル４０が直線状に伸ばされて可動側コネクタ４２及び固定側コネクタ４６が露出した状態になる。そのため、可動側コネクタ４２を基板４４の中心側に向けてスライドさせて固定側コネクタ４６から引き抜く。これで、可動側コネクタ４２は、固定側コネクタ４６から分離される。
【００４０】
次に、可動側コネクタ４２を固定側コネクタ４６に接続する場合の手順について図９、図１０を参照して説明する。
図９に示されるように、蓋３２ａの向きを基板４４の延在方向に合わせると共に、固定側コネクタ４６の挿入口４６ａが開口する方向と可動側コネクタ４２の挿入方向とを一致させる。そして、可動側コネクタ４２を基板４４の表面に印刷された挿入位置ガイドマーク４７に重ねるように当接させる。
【００４１】
図１０に示されるように、挿入位置ガイドマーク４７に当接された可動側コネクタ４２は、固定側コネクタ４６の挿入口４６ａに対向する位置にガイドされており、Ｙ方向（挿入方向）にスライドさせることにより、簡単に挿入口４６ａに挿入させることが可能になる。
【００４２】
このように、挿入口４６ａを基板４４の中心側に向けるようにしてケーブル４０の曲げ部分がケース３２の外側にはみ出さないように構成した場合でも、挿入口４６ａの前に挿入位置ガイドマーク４７を印刷することで、可動側コネクタ４２を固定側コネクタ４６の挿入口４６ａに容易に挿入して可動側コネクタ４２と固定側コネクタ４６とを結合させられる。
【００４３】
ここで、上記挿入位置ガイドマーク４７の具体的な表示パターンについて図１１（Ａ）〜（Ｃ）を参照して説明する。
【００４４】
図１１（Ａ）に示されるように、挿入位置ガイドマーク４７の表示パターン１としては、可動側コネクタ４２の輪郭形状に対応する大きさの四角形状の領域内に白色または黄色などの目立つ塗料をべた塗りしたマーク４７ａをスクリーン印刷により形成する。
【００４５】
図１１（Ｂ）に示されるように、挿入位置ガイドマーク４７の表示パターン２としては、可動側コネクタ４２の輪郭形状に対応する大きさの四角形状の枠状とされたマーク４７ｂをスクリーン印刷により形成する。
【００４６】
図１１（Ｃ）に示されるように、挿入位置ガイドマーク４７の表示パターン３としては、可動側コネクタ４２の輪郭形状に対応する大きさの四角形状の四隅にＬ字状とされたマーク４７ｃをスクリーン印刷により形成する。
【００４７】
図１１（Ｄ）に示されるように、挿入位置ガイドマーク４７の表示パターン４としては、可動側コネクタ４２の輪郭形状に対応する大きさの四角形状の領域内をメッシュ状とされたマーク４７ｄをスクリーン印刷により形成する。
【００４８】
図１１（Ｅ）に示されるように、挿入位置ガイドマーク４７の表示パターン５としては、可動側コネクタ４２の輪郭形状に対応する大きさの四角形状の枠体を破線で示したマーク４７ｅをスクリーン印刷により形成する。
【００４９】
このように、挿入位置ガイドマーク４７の表示パターンとしては、様々な形のものが考えられるが、上記表示パターン１〜５のものに限らない。
【００５０】
尚、上記実施の形態では、テレビゲーム装置の受信機２０の基板４４に設けられたコネクタ機構を一例として挙げたが、これに限らず、受信機２０以外の電子装置にも適用できるのは勿論である。
【００５１】
【発明の効果】
上述の如く、請求項１記載の発明によれば、基板に取り付けられた第１のコネクタにケーブルを有する第２のコネクタを接続するコネクタ機構において、基板上に第１のコネクタに対する第２のコネクタの挿入位置を示す位置合わせ部を設けたため、ケーブルの曲げ部分がはみ出さないように第１のコネクタに対する第２のコネクタの挿入位置及び挿入方向を容易に確認することができる。
【００５２】
また、請求項２記載の発明によれば、位置合わせ部が、第２のコネクタの形状に応じた大きさに形成したため、第２のコネクタの挿入位置及び挿入方向を容易に判別することができる。
【００５３】
また、請求項３記載の発明によれば、位置合わせ部が、印刷により基板の表面に形成したため、他の部分と同時に印刷できるので、余計な手間がかからず、且つ剥がれる心配がない。
【００５４】
また、請求項４記載の発明によれば、第１のコネクタが、第２のコネクタが挿入される挿入口を基板の中心に向けて開口する向きで取り付けられたため、ケーブルを基板の中心付近で曲げることが可能になり、ケーブルの曲げ部分がはみ出すことが防止できる。
【図面の簡単な説明】
【図１】本発明になるコネクタ機構の一実施例が適用されたテレビゲーム装置を示す斜視図である。
【図２】受信機２０の外観を示す図であり、（Ａ）は背面図、（Ｂ）は側面図、（Ｃ）は正面図である。
【図３】受信機２０の組立状態を示す縦断面図である。
【図４】受信機２０の構成部品を示す分解斜視図である。
【図５】基板４４の裏面を示す斜視図である。
【図６】基板４４の表面を示す斜視図である。
【図７】蓋３２ａを外した状態を示す斜視図である。
【図８】蓋３２ａをケース３２の後方に裏返した状態を示す斜視図である。
【図９】可動側コネクタ４２を固定側コネクタ４６に接続する前の状態を示す斜視図である。
【図１０】可動側コネクタ４２を固定側コネクタ４６に接続した状態を示す斜視図である。
【図１１】挿入位置ガイドマーク４７の具体的な表示パターンを示す図である。
【符号の説明】
１０  テレビゲーム装置
１２  ゲーム機本体
１４  コントローラ
１８  コネクタ
２０  受信機
２２  ケーブル
２４  テレビジョン装置
２６  筐体
２８  操作キー
３０  操作釦
３１  接続部
３２  樹脂製ケース
３２ａ  蓋
３４  操作ダイヤル
３６  発光ダイオード
３８  保持機構
４０  ケーブル
４２  可動側コネクタ
４３  受信回路
４４  基板
４６  固定側コネクタ
４６ａ  挿入口
４７  挿入位置ガイドマーク
４７ａ〜４７ｅ  マーク
４８  シールドケース
５０  シルードカバー
５２  コード設定器
５４  受信アンテナ
【図１】
2004192910.tif 000003
【図２】
2004192910.tif 000004
【図３】
2004192910.tif 000005
【図４】
2004192910.tif 000006
【図５】
2004192910.tif 000007
【図６】
2004192910.tif 000008
【図７】
2004192910.tif 000009
【図８】
2004192910.tif 000010
【図９】
2004192910.tif 000011
【図１０】
2004192910.tif 000012
【図１１】
2004192910.tif 000013